(57)【特許請求の範囲】
【請求項１】
回転可能に設けられ、中間部に貫通した穴が形成されたリフトアームと、
窓ガラスに取り付けられると共に窓ガラスの開閉方向と交差する方向に延びたガイドが形成され、該ガイドにて前記リフトアームの先端部と係合するリフトアームブラケットと、
第１アーム部、第２アーム部からなり、前記リフトアームの穴を介して前記第１アーム部と第２アーム部とが取り付けられることにより、前記リフトアームの中間部に回動可能に、且つ前記リフトアームとＸ字状に交差するように中間部が枢着され、先端部は前記リフトアームブラケットに係合するイコライザアームと、
前記リフトアームブラケットのガイドと平行なガイドが形成され、該ガイドでもって前記イコライザアームの基端部を案内するイコライザアームブラケットとを有し、
前記リフトアームを回転させ、前記窓ガラスを開閉させるウインドレギュレータにおいて、
前記第２アーム部に前記リフトアームの穴に回動可能に嵌合する円筒状の第１凹部を設け、
前記第２アーム部の第１凹部の底面に形成された貫通した穴，前記第１アーム部に形成され、前記第２アーム部の穴を挿通し、前記第２アーム部の穴から外部に突出した部分が前記第２アーム部の穴の周縁に当たるようにかしめられた凸部からなり、前記第１アーム部と前記第２アーム部の剥離を禁止する剥離禁止部と、
前記第１アーム部、第２アーム部のうち、どちらか一方のアーム部に形成された第２凹部，他方のアーム部に形成され、前記第２凹部に係合する係合部からなり、前記第１アーム部と前記第２アーム部との相対回転を禁止する回転禁止部と、
を有し、
前記回転禁止部の係合部は、前記第２アーム部の穴の半径方向において、前記剥離禁止部より外側に形成され、
前記剥離禁止部と前記回転禁止部とは離れた位置にあることを特徴とするウインドレギュレータ。
【請求項２】
前記回転禁止部の係合部は、前記第２凹部に係合するように切り曲げられた切り欠き部であることを特徴とする請求項１記載のウインドレギュレータ。
【請求項３】
前記回転禁止部の係合部は、前記第２凹部に係合するように押し出された凸部であることを特徴とする請求項１記載のウインドレギュレータ。
【請求項４】
前記剥離禁止部の前記凸部のかしめ方向と、前記回転禁止部の係合部の形成方向とが同じ方向であることを特徴とする請求項１乃至３のいずれかに記載のウインドレギュレータ。
【請求項５】
前記回転禁止部の切り欠き部は、
前記リフトアームと前記イコライザアームとの回転中心軸の半径方向に略沿った方向の半径方向切り欠き辺と、前記リフトアームと前記イコライザアームとの回転中心軸の半径方向と交差し、前記他方のアーム部に接続された根元部とを有し、
該根元部は、前記半径方向切り欠き辺の前記リフトアームと前記イコライザアームとの回転中心軸側にあることを特徴とする請求項２記載のウインドレギュレータ。
【請求項６】
前記回転禁止部の第２凹部は、前記リフトアームと前記イコライザアームとの回転中心軸の半径方向に略沿った２つの辺の間隔が漸次広がる矩形の穴であり、
前記回転禁止部の係合部は、前記リフトアームと前記イコライザアームとの回転中心軸の半径方向に略沿った２つの辺の間隔が漸次広がる矩形で、前記矩形の穴に係合するように、切り曲げられた切り欠き部であることを特徴とする請求項１記載のウインドレギュレータ。
【請求項７】
前記回転禁止部の第２凹部は、切り曲げて形成され切り欠き部によって発生した穴であり、
前記回転禁止部の係合部は、前記穴に係合するように切り曲げて形成された切り欠き部であり、
前記第２凹部の切り欠き部と前記係合部の切り欠き部とは同じ方向に曲げられていることを特徴とする請求項１記載のウインドレギュレータ。
【請求項８】
前記回転禁止部の第２凹部は前記第１アーム部に形成され、
前記第２凹部に係合する係合部は前記第２アーム部に形成されていることを特徴とする請求項１記載のウインドレギュレータ。
【請求項９】
回転可能に設けられ、中間部に貫通した穴が形成されたリフトアームと、
窓ガラスに取り付けられると共に窓ガラスの開閉方向と交差する方向に延びたガイドが形成され、該ガイドにて前記リフトアームの先端部と係合するリフトアームブラケットと、
第１アーム部、第２アーム部からなり、前記リフトアームの穴を介して前記第１アーム部と第２アーム部とが取り付けられることにより、前記リフトアームの中間部に回動可能に、且つ前記リフトアームとＸ字状に交差するように中間部が枢着され、先端部は前記リフトアームブラケットに係合するイコライザアームと、
前記リフトアームブラケットのガイドと平行なガイドが形成され、該ガイドでもって前記イコライザアームの基端部を案内するイコライザアームブラケットとを有し、
前記リフトアームを回転させ、前記窓ガラスを開閉させるウインドレギュレータの前記リフトアームと前記イコライザアームとの取り付け方法において、
前記第２アーム部に前記リフトアームの穴に回動可能に嵌合する円筒状の第１凹部を設け、前記第２アーム部の前記第１凹部の底面に貫通した穴を形成し、前記第１アーム部に凸部を設け、前記第１アーム部の凸部を前記第２アーム部の穴に挿通させ、前記凸部の前記第２アーム部の穴から外部に突出した部分を前記第２アーム部の穴の周縁に当たるようにかしめて、前記第1アーム部と前記第２アーム部との相対回転を禁止する剥離禁止部を形成する第１工程と、
前記第１アーム部、第２アーム部のうち、どちらか一方のアーム部に第２凹部を形成し、他方のアーム部に前記第２アーム部の穴の半径方向において、前記剥離禁止部より外側に形成され、前記第２凹部に係合する係合部を形成し、前記剥離禁止部と離れた位置に前記第１アーム部と前記第２アーム部との相対回転を禁止する回転禁止部を形成する第２工程と、
を有することを特徴とするウインドレギュレータのリフトアームとイコライザアームとの取り付け方法。
【請求項１０】
前記回転禁止部の係合部は、前記第２凹部に係合するように切り曲げられた切り欠き部であることを特徴とする請求項９記載のウインドレギュレータのリフトアームとイコライザアームとの取付け方法。
【請求項１１】
前記回転禁止部の係合部は、前記第２凹部に係合するように押し出された凸部であることを特徴とする請求項９記載のウインドレギュレータのリフトアームとイコライザアームとの取付け方法。
【請求項１２】
前記第１工程のかしめの方向と、前記第２工程の係合部の形成方向とが同じ方向であることを特徴とする請求項９記載のウインドレギュレータのリフトアームとイコライザアームとの取り付け方法。
【請求項１３】
前記回転禁止部の切り欠き部は、
前記リフトアームと前記イコライザアームとの回転中心軸の半径方向に略沿った方向の半径方向切り欠き辺と、前記リフトアームと前記イコライザアームとの回転中心軸の半径方向と交差し、前記他方のアーム部に接続された根元部とを有し、
該根元部は、前記半径方向切り欠き辺の前記リフトアームと前記イコライザアームとの回転中心軸側にあることを特徴とする請求項１０記載のウインドレギュレータのリフトアームとイコライザアームとの取り付け方法。
【請求項１４】
前記回転禁止部の第２凹部は、前記リフトアームと前記イコライザアームとの回転中心軸の半径方向に略沿った２つの辺の間隔が漸次広がる矩形の穴であり、
前記回転禁止部の係合部は、前記リフトアームと前記イコライザアームとの回転中心軸の半径方向に略沿った２つの辺の間隔が漸次広がる矩形で、前記矩形の穴に係合するように、切り曲げられた切り欠き部であることを特徴とする請求項９記載のウインドレギュレータのリフトアームとイコライザアームとの取り付け方法。
【請求項１５】
前記回転禁止部の第２凹部は、切り曲げて形成され切り欠き部によって発生した穴であり、
前記回転禁止部の係合部は、前記穴に係合するように切り曲げて形成された切り欠き部であり、
前記第２凹部の切り欠き部と前記係合部の切り欠き部とは同じ方向に曲げられていることを特徴とする請求項９記載のウインドレギュレータのリフトアームとイコライザアームとの取り付け方法。
【発明の詳細な説明】
【技術分野】
【０００１】
本発明は、回転可能に設けられ、中間部に貫通した穴が形成されたリフトアームと、窓ガラスに取り付けられると共に窓ガラスの開閉方向と交差する方向に延びたガイドが形成され、該ガイドにて前記リフトアームの先端部と係合するリフトアームブラケットと、第１アーム部、第２アーム部からなり、前記リフトアームの穴を介して前記第１アーム部と第２アーム部とが取り付けられることにより、前記リフトアームの中間部に回動可能に、且つ前記リフトアームとＸ字状に交差するように中間部が枢着され、先端部は前記リフトアームブラケットに係合するイコライザアームと、前記リフトアームブラケットのガイドと平行なガイドが形成され、該ガイドでもって前記イコライザアームの基端部を案内するイコライザアームブラケットとを有し、前記リフトアームを回転させ、前記窓ガラスを開閉させるウインドレギュレータ及びこのウインドレギュレータの前記リフトアームと前記イコライザアームとの取り付け方法に関する。
【背景技術】
【０００２】
最初に、図７を用いて、Ｘアーム式のウインドレギュレータを説明する。
図において、ベースプレート１は図示しないドアパネル（インナ）に取り付けられるもので、このベースプレート１には、ピン２でもって、ドリブンギヤ３が回転可能に取り付けられている。このピン２は、ドリブンギヤ３の歯先円の中心に位置している。
【０００３】
図７に示すウインドレギュレータは、パワー式のウインドレギュレータであるため、ベースプレート１には、駆動用モータ４が減速ギヤボックスと共に取り付けられており、その最終出力軸である回転軸４ａには、図１には現れていないが、ピニオンが設けられ、このピニオンにドリブンギヤ３の歯部３ａが噛合している。このため、モータ４により、回転軸４ａが図１において時計方向に駆動されればドリブンギヤ３は反時計方向に回転し、逆に、回転軸４ａが反時計方向に駆動されればドリブンギヤ３は時計方向に回転することになる。
【０００４】
リフトアーム５は、ドリブンギヤ３に歯先円の半径方向に向けて取り付けられている。
リフトアームブラケット６は、図示しない窓ガラスの下部に取り付けられるもので、断面が略Ｃ形をしており、窓ガラスの開閉方向Ｍと交差する方向に延びたスリット状のガイド６ａが形成されている。このリフトアームブラケット６には、ガイド６ａに沿って移動可能なスライダ７が嵌合している。スライダ７はピン８でもってリフトアーム５に回動可能に係止されている。
【０００５】
イコライザアーム１０は、リフトアーム５の中間部に回動可能に且つＸ字状に交差するように中間部が枢着されている。詳しく説明すると、イコライザアーム１０は、別々に成形した第１アーム部１１と第２アーム部１２とを一体的に取り付けることにより構成している。即ち、図７の切断線Ａ−Ａの断面図である図８に示すように、リフトアーム５の穴５１ｃに回動可能に嵌入された第１アーム部１１の円筒部１１４と、リフトアーム５を間にして第１アーム部１１に対向配置された第２アーム部１２の円筒部１２４とは、互いに端面（底部）が突き当てられた状態でプロジェクション溶接法により取り付けられる。このため、第１アーム部１１と第２アーム部１２とは、リフトアーム５の表裏にて、一体的となって回動することになる。
【０００６】
再び、図７に戻って、イコライザアームブラケット１３は、図示しないドアパネル（インナ）に取り付けられるもので、断面が略Ｃ形をしており、リフトアームブラケット６の
ガイド６ａと平行なガイド１３ａが形成されている。このイコライザアームブラケット１３には、ガイド１３ａに沿って移動可能なスライダ１４が嵌合している。スライダ１４はピン１５でもってイコライザアーム１０の基端部（第１アーム部１１）に回動可能に係止されている。
【０００７】
一方、イコライザアーム１０の先端部（第２アーム部１２）には、スライダ１６がピン１７でもって回動可能に係止され、このスライダ１６がリフトアームブラケット６のガイド６ａに沿って移動可能に嵌合している。
【０００８】
次に、上記構成のＸアーム式ウインドレギュレータの作動について説明する。
図７は窓ガラスを閉めた状態を示している。このため、窓ガラスが窓枠に当接するまで、リフトアーム５は反時計方向に回転している。この状態から、窓ガラスを下降させるには、モータ４により、回転軸４ａを図７における反時計方向に駆動して、リフトアーム５を時計方向に回転させればよい。このように駆動すれば、リフトアーム５の回転に連動して、イコライザアーム１０は反時計方向に回転し、結局、スライダ７及び１６が、ガイド６ａの案内方向に移動しながら下降し、リフトアームブラケット６をＭ方向に下降させることになる。よって、窓ガラスも下降する。この後、窓ガラスを上昇させるには、モータ４で回転軸４ａを時計方向に駆動すればよい。
【特許文献１】特開２００１−２１９２７８号公報（図４−図５）
【発明の開示】
【発明が解決しようとする課題】
【０００９】
しかし、イコライザアーム１０の第１アーム部１１と第２アーム部１２とは、プロジェクション溶接法により取り付けられる。従って、プロジェクション形状のバラツキ、電極の摩耗、ナゲット（溶接部に生じる溶融凝固した部分）への異物の混入等の理由により、溶接不良が発生する。一方、溶接部は、第１アーム部１１の円筒部１１４の端面（底面）と、第２アーム部１２の円筒部１２４の端面（底面）とが突き当てられた箇所に形成される。
【００１０】
よって、目視による溶接部の品質確認できず、破壊しないと第１アーム部と第２アーム部との取り付けの品質確認ができなかった。
本発明は、上記問題点に鑑みてなされたもので、その課題は、目視で、第１アーム部と第２アーム部との取り付けの品質確認が可能なウインドレギュレータ及びウインドレギュレータのリフトアームとイコライザアームとの取り付け方法を提供することにある。
【課題を解決するための手段】
【００１１】
請求項１に係る発明は、回転可能に設けられ、中間部に貫通した穴が形成されたリフトアームと、窓ガラスに取り付けられると共に窓ガラスの開閉方向と交差する方向に延びたガイドが形成され、該ガイドにて前記リフトアームの先端部と係合するリフトアームブラケットと、第１アーム部、第２アーム部からなり、前記リフトアームの穴を介して前記第１アーム部と第２アーム部とが取り付けられることにより、前記リフトアームの中間部に回動可能に、且つ前記リフトアームとＸ字状に交差するように中間部が枢着され、先端部は前記リフトアームブラケットに係合するイコライザアームと、前記リフトアームブラケットのガイドと平行なガイドが形成され、該ガイドでもって前記イコライザアームの基端部を案内するイコライザアームブラケットとを有し、前記リフトアームを回転させ、前記窓ガラスを開閉させるウインドレギュレータにおいて、前記第２アーム部に前記リフトアームの穴に回動可能に嵌合する円筒状の第１凹部を設け、前記第２アーム部の第１凹部の底面に形成された貫通した穴，前記第１アーム部に形成され、前記第２アーム部の穴を挿通し、前記第２アーム部の穴から外部に突出した部分が前記第２アーム部の穴の周縁に当たるようにかしめられた凸部からなり、前記第１アーム部と前記第２アーム部の剥離を禁止する剥離禁止部と、前記第１アーム部、第２アーム部のうち、どちらか一方のアーム部に形成された第２凹部，他方のアーム部に形成され、前記第２凹部に係合する係合部からなり、前記第１アーム部と前記第２アーム部との相対回転を禁止する回転禁止部と、を有し、前記回転禁止部の係合部は、前記第２アーム部の穴の半径方向において、前記剥離禁止部より外側に形成され、前記剥離禁止部と前記回転禁止部とは離れた位置にあることを特徴とするウインドレギュレータである。
【００１２】
請求項２に係る発明は、前記回転禁止部の係合部は、前記第２凹部に係合するように切り曲げられた切り欠き部であることを特徴とする請求項１記載のウインドレギュレータである。
【００１３】
請求項３に係る発明は、前記回転禁止部の係合部は、前記第２凹部に係合するように押し出された凸部であることを特徴とする請求項１記載のウインドレギュレータである。
請求項４に係る発明は、前記剥離禁止部の前記凸部のかしめ方向と、前記回転禁止部の係合部の形成方向とが同じ方向であることを特徴とする請求項１乃至３のいずれかに記載のウインドレギュレータである。
【００１４】
請求項５に係る発明は、前記回転禁止部の切り欠き部は、前記リフトアームと前記イコライザアームとの回転中心軸の半径方向に略沿った方向の半径方向切り欠き辺と、前記リフトアームと前記イコライザアームとの回転中心軸の半径方向と交差し、前記他方のアーム部に接続された根元部とを有し、該根元部は、前記半径方向切り欠き辺の前記リフトアームと前記イコライザアームとの回転中心軸側にあることを特徴とする請求項２記載のウインドレギュレータである。
【００１５】
請求項６に係る発明は、前記回転禁止部の第２凹部は、前記リフトアームと前記イコライザアームとの回転中心軸の半径方向に略沿った２つの辺の間隔が漸次広がる矩形の穴であり、前記回転禁止部の係合部は、前記リフトアームと前記イコライザアームとの回転中心軸の半径方向に略沿った２つの辺の間隔が漸次広がる矩形で、前記矩形の穴に係合するように、切り曲げられた切り欠き部であることを特徴とする請求項１記載のウインドレギュレータである。
【００１６】
請求項７に係る発明は、前記回転禁止部の第２凹部は、切り曲げて形成され切り欠き部によって発生した穴であり、前記回転禁止部の係合部は、前記穴に係合するように切り曲げて形成された切り欠き部であり、前記第２凹部の切り欠き部と前記係合部の切り欠き部とは同じ方向に曲げられていることを特徴とする請求項１記載のウインドレギュレータである。
請求項８に係る発明は、前記回転禁止部の第２凹部は前記第１アーム部に形成され、前記第２凹部に係合する係合部は前記第２アーム部に形成されていることを特徴とする請求項１記載のウインドレギュレータである。
【００１７】
請求項９に係る発明は、回転可能に設けられ、中間部に貫通した穴が形成されたリフトアームと、窓ガラスに取り付けられると共に窓ガラスの開閉方向と交差する方向に延びたガイドが形成され、該ガイドにて前記リフトアームの先端部と係合するリフトアームブラケットと、第１アーム部、第２アーム部からなり、前記リフトアームの穴を介して前記第１アーム部と第２アーム部とが取り付けられることにより、前記リフトアームの中間部に回動可能に、且つ前記リフトアームとＸ字状に交差するように中間部が枢着され、先端部は前記リフトアームブラケットに係合するイコライザアームと、前記リフトアームブラケットのガイドと平行なガイドが形成され、該ガイドでもって前記イコライザアームの基端部を案内するイコライザアームブラケットとを有し、前記リフトアームを回転させ、前記窓ガラスを開閉させるウインドレギュレータの前記リフトアームと前記イコライザアームとの取り付け方法において、前記第２アーム部に前記リフトアームの穴に回動可能に嵌合する円筒状の第１凹部を設け、前記第２アーム部の前記第１凹部の底面に貫通した穴を形成し、前記第１アーム部に凸部を設け、前記第１アーム部の凸部を前記第２アーム部の穴に挿通させ、前記凸部の前記第２アーム部の穴から外部に突出した部分を前記第２アーム部の穴の周縁に当たるようにかしめて、前記第1アーム部と前記第２アーム部との相対回転を禁止する剥離禁止部を形成する第１工程と、前記第１アーム部、第２アーム部のうち、どちらか一方のアーム部に第２凹部を形成し、他方のアーム部に前記第２アーム部の穴の半径方向において、前記剥離禁止部より外側に形成され、前記第２凹部に係合する係合部を形成し、前記剥離禁止部と離れた位置に前記第１アーム部と前記第２アーム部との相対回転を禁止する回転禁止部を形成する第２工程と、を有することを特徴とするウインドレギュレータのリフトアームとイコライザアームとの取り付け方法である。
【００１８】
請求項１０に係る発明は、前記回転禁止部の係合部は、前記第２凹部に係合するように切り曲げられた切り欠き部であることを特徴とする請求項９記載のウインドレギュレータのリフトアームとイコライザアームとの取付け方法である。
【００１９】
請求項１１に係る発明は、前記回転禁止部の係合部は、前記第２凹部に係合するように押し出された凸部であることを特徴とする請求項９記載のウインドレギュレータのリフトアームとイコライザアームとの取付け方法である。
【００２０】
請求項１２に係る発明は、前記第１工程のかしめの方向と、前記第２工程の係合部の形成方向とが同じ方向であることを特徴とする請求項９記載のウインドレギュレータのリフトアームとイコライザアームとの取り付け方法である。
【００２１】
請求項１３に係る発明は、前記回転禁止部の切り欠き部は、前記リフトアームと前記イコライザアームとの回転中心軸の半径方向に略沿った方向の半径方向切り欠き辺と、前記リフトアームと前記イコライザアームとの回転中心軸の半径方向と交差し、前記他方のアーム部に接続された根元部とを有し、該根元部は、前記半径方向切り欠き辺の前記リフトアームと前記イコライザアームとの回転中心軸側にあることを特徴とする請求項１０記載のウインドレギュレータのリフトアームとイコライザアームとの取り付け方法である。
【００２２】
請求項１４に係る発明は、前記回転禁止部の第２凹部は、前記リフトアームと前記イコライザアームとの回転中心軸の半径方向に略沿った２つの辺の間隔が漸次広がる矩形の穴であり、前記回転禁止部の係合部は、前記リフトアームと前記イコライザアームとの回転中心軸の半径方向に略沿った２つの辺の間隔が漸次広がる矩形で、前記矩形の穴に係合するように、切り曲げられた切り欠き部であることを特徴とする請求項９記載のウインドレギュレータのリフトアームとイコライザアームとの取り付け方法である。
【００２３】
請求項１５に係る発明は、前記回転禁止部の第２凹部は、切り曲げて形成され切り欠き部によって発生した穴であり、前記回転禁止部の係合部は、前記穴に係合するように切り曲げて形成された切り欠き部であり、前記第２凹部の切り欠き部と前記係合部の切り欠き部とは同じ方向に曲げられていることを特徴とする請求項９記載のウインドレギュレータのリフトアームとイコライザアームとの取り付け方法である。
【発明の効果】
【００２４】
請求項１−１５に係る発明によれば、かしめた箇所、即ち、第１アーム部の凸部と、第１アーム部、第２アーム部のうちどちらか一方のアーム部の切り欠き部とが外部に露出する。よって、目視で、第１アーム部と第２アーム部との取り付けの品質確認が可能である。
【００２５】
請求項２、請求項１０に係る発明によれば、凹部のサイズを問わず容易に凹部に係合させ得ることができる。
請求項３、請求項１１に係る発明によれば、凹部に当接する部分が広くなり、第１アーム部と第２アーム部との相対的回転をより強く規制できる。
【００２６】
請求項４、請求項１２に係る発明によれば、前記剥離禁止部の前記凸部のかしめ方向と、前記回転禁止部の係合部の形成方向とが同じ方向であることにより、１組のパンチとダイとで、かしめを行うことができ、１工程でリフトアームとイコライザアームとの取り付けが完了する。
【００２７】
請求項５、請求項１３に係る発明によれば、前記切り欠き部は、前記リフトアームと前記イコライザアームとの回転中心軸の半径方向に略沿った方向の半径方向切り欠き辺と、前記リフトアームと前記イコライザアームとの回転中心軸の半径方向と交差し、前記他方のアーム部に接続された根元部とを有し、該根元部は、前記半径方向切り欠き辺の前記リフトアームと前記イコライザアームとの回転中心軸側にあることにより、根元部が、前記半径方向切り欠き辺の前記リフトアームと前記イコライザアームとの回転中心軸側と反対側側にあるものより、第１アーム部と第２アーム部とが相対回転するような力が作用した場合、切り欠き部と前記凹部との当接部が第１アーム部、第２アーム部の相対回転の中心より離れた位置にあるので、第１アーム部と第２アーム部との相対回転をより強く規制できる。又、切り欠き部をかしめる時の荷重方向は、リフトアームの穴の周面からイコライザアームが離れる方向で、第１アーム部の凸部と第２アーム部の穴の周面とが近づく方向であるので、リフトアームとイコライザアームとの回転をスームズに維持できる。
【００２８】
請求項６、請求項１４に係る発明によれば、前記回転禁止部の凹部は、前記リフトアームと前記イコライザアームとの回転中心軸の半径方向に略沿った２つの辺の間隔が漸次広がる矩形の穴であり、前記回転禁止部の係合部は、前記リフトアームと前記イコライザアームとの回転中心軸の半径方向に略沿った２つの辺の間隔が漸次広がる矩形で、前記矩形の穴に係合するように、切り曲げられた切り欠き部であることにより、前記第１アーム部と前記第２アーム部との相対回転を禁止すると共に、前記第１アーム部と前記第２アーム部の剥離を禁止する。
【００２９】
請求項７、請求項１５に係る発明によれば、前記回転禁止部の凹部は、切り曲げて形成され切り欠き部によって発生した穴であり、前記回転禁止部の係合部は、前記穴に係合するように切り曲げて形成された切り欠き部であり、前記凹部としての切り欠き部と前記係合部としての切り欠き部とは同じ方向に曲げられていることにより、回転禁止部の凹部と、係合部とを同時に形成することができる。
【発明を実施するための最良の形態】
【００３０】
＜第１の実施の形態例＞
本形態例のウインドレギュレータの構成と、背景技術の欄で説明したウインドレギュレータとの構成との相違点は、リフトアームとイコライザアームとの取り付けであり、他の部分は同一であるので、同一部分には同一符号を付し、重複する説明は省略する。
【００３１】
本形態例のイコライザアーム１０１０は、図６に示すように、背景技術の欄で説明したウインドレギュレータとの構成と同様に、第１アーム部１０１１と、第２アーム部１０１２とからなり、リフトアーム１００５の穴を介して第１アーム部１０１１と第２アーム部１０１２とが取り付けられることにより、リフトアーム１００５の中間部に回動可能に、且つリフトアーム１００５とＸ字状に交差するように中間部が枢着されている。
【００３２】
次に、図１−図５を用いて、リフトアーム１００５とイコライザアーム１０１０との取り付けを説明する。図１は図６の切断線Ｂ−Ｂでの断面図、図２は図１においてかしめ加工前の組み付け状態を示す図、図３は図６の切断線Ｃ−Ｃでの断面図、図４は図３においてかしめ加工前の組み付け状態を示す図、図５はかしめに用いるパンチとダイの斜視図である。
【００３３】
図１−図４に示すように、リフトアーム１００５の中間部には、バーリング加工法等により、貫通した穴１００５ａが形成され、穴１００５ａの周面に沿って、イコライザアーム１０１０の第２アーム部１０１２方向に延びる円筒状の立壁部１００５ｂが形成されている。
【００３４】
図１−図４において、リフトアーム１００５の上側に配置されるイコライザアーム１０１０の第２アーム部１０１２には、リフトアーム１００５の立壁部１００５ｂ内に嵌合する円筒状の凹部１０１２ｂが形成されている。この凹部１０１２ｂの底面には、貫通した穴１０１２ａが形成されている。
【００３５】
図１−図４において、リフトアーム１００５の下側に配置されるイコライザアーム１０１０の第１アーム部１０１１には、バーリング加工法等により、貫通した穴１０１１ａが形成され、穴１０１１ａの周面に沿って立壁部（凸部）１０１１ｂが形成されている。この立壁部１０１１ｂは、第２アーム部１０１２の穴１０１２ａを挿通し、第２アーム部１
０１２の穴１０１２ａから外部に突出している。
【００３６】
又、第１アーム部１０１１の立壁部１０１１ｂの周りには、９０°ピッチで４カ所の矩形の貫通した穴（凹部）１０１１ｄが形成されている。
次に、リフトアーム１００５とイコライザアーム１０１０との取り付け方法を説明する。
（１）図２、図４に示すように、リフトアーム１００５の上方にイコライザアーム１０１０の第２アーム部１０１２を配置すると共に、リフトアーム１００５の立壁部１００５ｂ内に第２アーム部１０１２の凹部１０１２ｂを嵌合させる。
【００３７】
又、リフトアーム１００５の下方にイコライザアーム１０１０の第１アーム部１０１１を配置し、第１アーム部１０１１の立壁部１０１１ｂを第２アーム部１０１２の穴１０１２ａから外部に突出するように組み付ける。
【００３８】
そして、図５、図１に示すような上パンチ１５００、ダイ１６００を用いて、かしめ加工を行う。尚、パンチ１５００のダイ１６００と対向する面の中央部には、先端が円錐台状になった円柱状の立壁部かしめ部１５０１と、第１アーム部１０１１に形成された４つの穴１０１１ｄ（凹部）に対向するように設けられた斜切四角柱状の切り欠きかしめ部１５０３とが設けられている。立壁部かしめ部１５０１は、円錐台状の部分が、第１アーム部１０１１の穴１０１１ａに挿入されると、立壁部１０１１ｂの先端が拡径するようなかしめ加工を行う。又、切り欠きかしめ部１５０３は、第２アーム部１０１２を切り欠いて、切欠いた部分を第１アーム部１０１１方向に曲げるようなかしめ加工を行う。ダイ１６００の上パンチ１５００との対向面には、立壁部かしめ部１５０１が挿入可能な穴１６０１と、切り欠きかしめ部１５０３が挿入可能な４つの穴１６０３とが形成されている。
【００３９】
このような上パンチ１５００と、ダイ１６００とを用いると、図２→図１、図４→図３に示すように、パンチ１５００の立壁部かしめ部１５０１により、イコライザアーム１０１１の立壁部１０１１ｂの第２アーム部１０１２の穴１０１２ａから外部に突出した部分が第２アーム部１０１２の穴１０１２ａの周縁に当たるようにかしめられ、第１アーム部１０１１と第２アーム部１０１２との剥離が禁止される。
【００４０】
更に、図２→図１に示すように、パンチ１５００の切り欠きかしめ部１５０３により、第２アーム部１０１２が切り曲げられた切り欠き部１０１２ｄ（係合部）が第１アーム部１０１１の穴１０１１ｄに係合するようにかしめられ、第１アーム部１０１１と第２アーム部１０１２との相対回転を禁止する。
【００４１】
尚、本実施の形態例では、切り欠きかしめ部１５０３による第２アーム部１０１２の切り欠き１０１２ｄは、図６に示すように、リフトアーム１００５とイコライザアーム１０１０との回転中心軸の半径方向に略沿った方向の半径方向切り欠き辺１０１２ｈと、リフトアーム１００５とイコライザアーム１０１０との回転中心軸の半径方向と交差し、第２アーム部１０１２に接続された根元部１０１２ｎとを有し、根元部１０１２ｎは、半径方向切り欠き辺１０１２ｈのリフトアーム１００５とイコライザアーム１０１０との回転中心軸側と反対側にある形状とした。
【００４２】
よって、第１アーム部１０１１の先端がかしめられた立壁部（凸部）１０１１ｂと、第２アーム部１０１２の穴１０１２ａとで、第１アーム部１０１１と第２アーム部１０１２との剥離を禁止する剥離禁止部となっている。
【００４３】
又、第１アーム部１０１１に形成された穴（凹部）１０１１ｄと、第２アーム部１０１２の穴１０１１ｄに係合するように切り曲げられて形成された切り欠き部１０１２ｄとで、第１アーム部１０１１と第２アーム部１０１２との相対回転を禁止する回転禁止部となっている。
【００４４】
このようなウインドレギュレータ及びウインドレギュレータのリフトアームとイコライザアームとの取り付け方法によれば、以下のような効果をえることができる。
（１）かしめた箇所、即ち、第１アーム部１０１１の立壁部１０１１ｂの先端と、第２アーム部１０１２の切り欠き部１０１２ｄが外部に露出している。よって、目視で、第１アーム部と第２アーム部との取り付けの品質確認が可能である。
（２）剥離禁止部の立壁部１０１１ｂのかしめ方向と、回転禁止部の切り欠き部１０１２ｄの形成方向とが同じであるので、１組の上パンチ１５００とダイ１６００とで、かしめを行うことができ、１工程でリフトアーム１００５とイコライザアーム１０１０との取り付けが完了する。
【００４５】
尚、本発明は、上記形態例に限定するものではない。例えば、上記形態例では、回転禁止部の４つの穴を第１アーム部１０１１に設け、切り欠き部を第２アーム部１０１２に設けたが、逆に、回転禁止部の４つの穴を第２アーム部１０１２に設け、切り欠き部を第１アーム部１０１１に設けてもよい。
【００４６】
更に、上記形態例では、切り欠きかしめ部１５０３により形成される第２アーム部１０１２の切り欠き部１０１２ｄの根元部１０１２ｎは、半径方向切り欠き辺１０１２ｈのリフトアーム１００５とイコライザアーム１０１０との回転中心軸側と反対側にある形状としたが、図９に示す切り欠き部１０１２ｄ’のように、半径方向切り欠き辺１０１２ｈのリフトアーム１００５とイコライザアーム１０１０との回転中心軸側にある形状でもよい。
【００４７】
この場合、第１アーム部１０１１と第２アーム部１０１２とが相対回転するような力が作用した場合、切り欠き部１０１２ｄ’と穴１０１１ｄとの当接部が第１アーム部１０１１、第２アーム部１０１２の相対回転の中心より離れた位置にあるので、第１アーム部１０１１と第２アーム部１０１２との相対回転をより強く規制できる。
【００４８】
又、切り欠き部１０１２ｄ’をかしめる時の荷重方向は、リフトアーム１００５の穴１００５ａの周面である立壁部１００５ｂからイコライザアーム１０１０の第２アーム部１０１２の凹部１０１２ｂが離れる方向で、イコライザアーム１０１０の第１アーム部１０１１の立壁部（凸部）１０１１ｂと第２アーム部１０１２の穴１０１２ａの周面とが近づく方向であるので、リフトアーム１００５とイコライザアーム１０１０との回転をスームズに維持できる。
【００４９】
更に、穴１０１１ｄ、切り欠き部１０１２ｄ’の形状は図９のＤ方向矢視図である図１０に示すような形状が好ましい。穴１０１１ｄは、リフトアーム１００５とイコライザアーム１０１０との回転中心軸を中心とする円周方向に９０度ピッチで４カ所形成され、その形状は、リフトアーム１００５とイコライザアーム１０１０との回転中心軸の半径方向に略沿った２つの辺の間隔が漸次広がる台形（矩形）である。
【００５０】
切り欠き部１０１２ｄ’は、リフトアーム１００５とイコライザアーム１０１０との回転中心軸の半径方向に略沿った２つの辺の間隔が漸次広がる台形（矩形）で、台形の穴１０１１ｄに係合するように、切り曲げられている。
【００５１】
このような構成によれば、第１アーム部１０１１と第２アーム部１０１２との相対回転を禁止すると共に、第１アーム部１０１１と第２アーム部１０１２とを剥離しようとすれば、切り欠き部１０１２ｄ’のリフトアーム１００５とイコライザアーム１０１０との回転中心軸の半径方向に略沿った２つの辺ｙ、ｙが、穴１０１１ｄのリフトアーム１００５とイコライザアーム１０１０との回転中心軸の半径方向に略沿った２つの辺ｘ、ｘに当たり、それ以上の剥離を禁止する。
＜第２の実施の形態例＞
第１の実施の形態例では、上パンチ１５００の切り欠きかしめ部１５０３を用いて、第２アーム部１０１２を切り曲げて、第１アーム部１０１１の穴１０１１ｄに係合する切り欠き部１０１２ｄを形成した。第２の実施の形態例では、図１１に示すように、上パンチ１５００の凸形成部１５０４を用いて、第２アーム部１０１２に、第１アーム部１０１１の穴１０１１ｄに係合するように押し出された凸部１０１２ｅを形成してもよい。
＜第３の実施の形態例＞
第１の実施の形態例では、第１アーム部１０１１の凹部は、立壁部１０１１ｂの周りに、９０°ピッチで４カ所の矩形の貫通した穴１０１１ｄであったが、本形態例では、図１２に示すように、第１アーム１０１１を切り曲げて形成した切り欠き部１０１１ｅによって発生した穴１０１１ｆに、第２アーム部１０１２に切り欠き部１０１１ｅと同じ方向に切り曲げられた切り欠き部１０１２ｄ’を係合させてもよい。
【００５２】
このような構成によれば、凹部としての切り欠き部１０１１ｅと係合部としての切り欠き部１０１２ｄ’とは同じ方向に曲げられていることにより、回転禁止部の凹部と、係合部とを同時に形成することができる。よって、前もって、第１アーム部１０１１に穴を形成しなくても良い。
【図面の簡単な説明】
【００５３】
【図１】第１の実施の形態例を示す図で、図６の切断線Ｂ−Ｂでの断面図である。
【図２】図１においてかしめ加工前の組み付け状態を示す図である。
【図３】図６の切断線Ｃ−Ｃでの断面図である。
【図４】図３においてかしめ加工前の組み付け状態を示す図である。
【図５】かしめに用いるパンチとダイの斜視図である。
【図６】形態例のリフトアーム１００５とイコライザアーム１０１０とが取り付けられた箇所を示す図である。
【図７】Ｘアーム式のウインドレギュレータを説明する図である。
【図８】図７の切断線Ａ−Ａの断面図である。
【図９】他の形態例を説明する図である。
【図１０】図９のＤ方向矢視図である。
【図１１】第２の実施の形態例を示す図である。
【図１２】第３の実施の形態例を示す図である。
【符号の説明】
【００５４】
１００５  リフトアーム
１００５ａ  穴
１０１０  イコライザアーム
１０１１  第１アーム部
１０１１ａ  穴
１０１１ｂ  立壁部
１０１２  第２アーム部
１０１２ａ  穴
１０１２ｄ  切り欠き部
【図１】
0005234753.tif 000002
【図２】
0005234753.tif 000003
【図３】
0005234753.tif 000004
【図４】
0005234753.tif 000005
【図５】
0005234753.tif 000006
【図６】
0005234753.tif 000007
【図７】
0005234753.tif 000008
【図８】
0005234753.tif 000009
【図９】
0005234753.tif 000010
【図１０】
0005234753.tif 000011
【図１１】
0005234753.tif 000012
【図１２】
0005234753.tif 000013